(57)【要約】【課題】  同一基板上にＶＣＳＥＬとＡＰＣ用のＰＤを配置する。【解決手段】  面発光によりレーザ光を出射する面発光レーザ部と、面発光レーザ部から発光されたレーザ光の一部を受光する受光部とが同一平面上に実装されてなる基板と、面発光レーザ部から出射されたレーザ光を平行光にするコリメートレンズと、コリメートレンズから出射される平行光を光ファイバの端面に集光する集光レンズと、コリメートレンズから出射される平行光の一部を反射させる反射ミラーとを有する光学部と、反射部により反射された光を受光部により受光し、当該反射光の光量に応じて面発光レーザ部から出射されるレーザ光の光量を制御する制御部とを備える。【選択図】  図４Ａ
2006344915.tif 000002
【特許請求の範囲】
【請求項１】
面発光によりレーザ光を出射する面発光レーザ部と、上記面発光レーザ部から発光されたレーザ光の一部を受光する受光部とが同一平面上に実装されてなる基板と、
上記面発光レーザ部から出射されたレーザ光を平行光にするコリメートレンズと、上記コリメートレンズから出射される平行光を光ファイバの端面に集光する集光レンズと、上記コリメートレンズから出射される平行光の一部を反射させる反射部とを有する光学手段と、
上記反射部により反射された光を上記受光部により受光し、当該反射光の光量に応じて上記面発光レーザ部から出射されるレーザ光の光量を制御する制御手段とを備えてなる光学ユニット。
【請求項２】
上記基板は、受信用のレーザ光を受信する受信用受信部を有し、
上記光学手段は、受信用の光ファイバから出射される光を受光し、平行光にする受光用コリメートレンズと、上記受信用コリメートレンズから出射される平行光を上記受信用受光部に集光する集光レンズを備えることを特徴とする請求項１記載の光学ユニット。
【請求項３】
上記反射部は、光を透過及び反射するハーフミラーと、上記ハーフミラーにより反射された光を所定方向に全反射する全反射ミラーとからなり、
上記光学手段は、
少なくとも、上記面発光レーザ部と上記受光部が実装されている面と平行に向き合い、上記面発光レーザ部から出射されるレーザ光を平行光にする上記コリメートレンズと、上記受光部に反射光を出射する出射部とが形成されてなる第１の面と、上記コリメートレンズにより平行光にされたレーザ光を透過及び反射させる上記ハーフミラーが形成されてなる第２の面と、上記ハーフミラーにより反射された光を上記第１の面の出射部に全反射させる上記全反射ミラーが形成されてなる第３の面を有する所定形状の第１の光学部材と、
少なくとも、上記第２の面と密着し、上記ハーフミラーにより透過された光を透過させる第４の面と、上記第４の面を透過した光を光ファイバの端面に集光する上記集光レンズが形成されてなる面を有する所定形状の第２の光学部材とにより構成されることを特徴とする請求項１記載の光学ユニット。
【請求項４】
上記第１の面に形成されてなる上記出射部は、上記反射光を上記受光部に集光する集光レンズにより構成されてなることを特徴とする請求項３記載の光学ユニット。
【請求項５】
上記第１の面に形成されてなる上記コリメートレンズと上記出射部は、所定間隔離れて形成されることを特徴とする請求項３記載の光学ユニット。
【請求項６】
上記反射部は、光を全反射する第１の全反射ミラーと、上記第１の全反射ミラーにより反射された光を所定方向に全反射する第２の全反射ミラーとからなり、
上記光学手段は、少なくとも、上記面発光レーザ部と上記受光部が実装されている面と平行に向き合い、上記面発光レーザ部から出射されるレーザ光を平行光にする上記コリメートレンズと、上記受光部に反射光を出射する出射部とが形成されてなる第１の面と、
上記コリメートレンズにより平行光にされたレーザ光の一部を所定方向に全反射する上記第１の全反射ミラーが形成されている第１の切り込み部と、上記第１の全反射ミラーにより全反射された光を上記第１の面に形成されている上記出射部に全反射する上記第２の全反射ミラーが形成されている第２の切り込み部と、上記コリメートレンズにより平行光にされたレーザ光を光ファイバの端面に集光する所定形状にカットされた上記集光レンズとが形成されてなる第２の面を有することを特徴とする請求項１記載の光学ユニット。
【請求項７】
上記反射部は、光を全反射する全反射ミラーからなり、
上記光学手段は、少なくとも、上記面発光レーザ部と上記受光部が実装されている面と平行に向き合い、上記面発光レーザ部から出射されるレーザ光を平行光にする上記コリメートレンズと、上記受光部に反射光を出射する出射部とが形成されてなる第１の面と、上記コリメートレンズにより平行光にされたレーザ光を所定方向に全反射する上記全反射ミラーが形成されてなる第２の面と、上記全反射ミラーにより全反射された光を光ファイバの端面に集光する集光レンズが形成されてなる第３の面とを有しており、
上記第２の面は、上記コリメートレンズにより平行光にされたレーザ光の一部を上記第１の面に形成されている上記出射部に反射するように所定形状をなしていることを特徴とする請求項１記載の光学ユニット。
【請求項８】
上記反射部は、光を透過及び反射するハーフミラーと、上記ハーフミラーにより反射された光を所定方向に全反射する第１の全反射ミラーと、上記ハーフミラーにより透過された光を所定方向に全反射する第２の全反射ミラーとからなり、
上記光学手段は、
少なくとも、上記面発光レーザ部と上記受光部が実装されている面と平行に向き合い、上記面発光レーザ部から出射されるレーザ光を平行光にする上記コリメートレンズと、上記受光部に反射光を出射する出射部とが形成されてなる第１の面と、上記コリメートレンズにより平行光にされたレーザ光を透過及び反射させる上記ハーフミラーが形成されてなる第２の面と、上記ハーフミラーにより反射された光を上記第１の面の出射部に全反射させる上記第１の全反射ミラーが形成されてなる第３の面を有する所定形状の第１の光学部材と、
少なくとも、上記第２の面と密着し、上記ハーフミラーにより透過された光を透過させる第４の面と、上記第４の面を透過した光を所定方向に全反射させる上記第２の全反射ミラーが形成されてなる第５の面と、上記第２の全反射ミラーにより全反射された光を光ファイバの端面に集光する上記集光レンズが形成されてなる第６の面を有する所定形状の第２の光学部材とにより構成されることを特徴とする請求項１記載の光学ユニット。
【請求項９】
上記第１の面に形成されてなる上記コリメートレンズと上記出射部は、所定間隔離れて形成されることを特徴とする請求項８記載の光学ユニット。
【請求項１０】
上記反射部は、光を一の方向に全反射する第１の全反射ミラーと、上記第１の全反射ミラーにより反射された光を全反射する第２の全反射ミラーと、光を他の方向に全反射する第３の全反射ミラーとからなり、
上記光学手段は、
少なくとも、上記面発光レーザ部と上記受光部が実装されている面と平行に向き合い、上記面発光レーザ部から出射されるレーザ光を平行光にする上記コリメートレンズと、上記受光部に反射光を出射する出射部とが形成されてなる第１の面と、
所定形状の切り込み部が形成されており、上記切り込み部に上記コリメートレンズにより平行光にされたレーザ光の一部を一の方向に全反射させる上記第１の全反射ミラーが形成され、上記第１の全反射ミラーにより反射された光を上記第１の面に形成されている上記出射部に全反射する上記第２の全反射ミラーと、上記コリメートレンズにより平行光にされたレーザ光を他の方向に全反射させる上記第３の全反射ミラーが形成されてなる第２の面と、
上記第３の全反射ミラーにより全反射された光を光ファイバの端面に集光する上記集光レンズが形成されてなる第３の面を有することを特徴とする請求項１記載の光学ユニット。
【請求項１１】
上記反射部は、光を透過及び反射するハーフミラーと、上記ハーフミラーにより反射された光を所定方向に全反射する全反射ミラーとからなり、
上記光学手段は、
少なくとも、上記面発光レーザ部と上記受光部が実装されている面と平行に向き合い、上記面発光レーザ部から出射されるレーザ光を平行光にする上記コリメートレンズと、上記受光部に反射光を出射する出射部とが形成されてなる第１の面と、上記コリメートレンズにより平行光にされたレーザ光を透過及び反射させる上記ハーフミラーが形成されてなる第２の面と、上記ハーフミラーにより反射された光を上記第１の面の出射部に全反射させる上記全反射ミラーが形成されてなる第３の面を有する所定形状の第１の光学部材と、
少なくとも、上記ハーフミラーにより透過された光を光ファイバの端面に集光する上記集光レンズが形成されてなる第４の面を有する所定形状の第２の光学部材とにより構成されることを特徴とする請求項１記載の光学ユニット。
【請求項１２】
上記第２の光学部材の上記第４の面に対抗する第５の面は、上記光ファイバと屈折率が同等の部材によって上記光ファイバの端面とのクリアランスが埋められていることを特徴とする請求項１１記載の光学ユニット。
【発明の詳細な説明】
【技術分野】
【０００１】
本発明は、光信号を伝送する光学ユニットに関する。
【背景技術】
【０００２】
光通信を行う光通信装置は、送信情報を担う電気信号を光信号に変換して送信する送信部と、外部から送信される光信号を電気信号に変換する受信部と、光信号の伝送路である光ファイバと送信部及び受信部を光学的に接続する接続部（光コネクタ）とを備えてなる。
【０００３】
ところで、一般的に、光トランシーバの送信部に含まれる光源としては、素子の劈開面を利用して、光共振器を構成する端面発光型のファブリペロータイプのレーザが用いられている。ファブリペロータイプでは、光源（発光）側の反対面の反射率をコントロールすることで、容易にモニター光（バックモニター光。）を得ることができる。ファブリペロータイプを採用する光通信装置では、モニター光を光検出器ＰＤで受光し、受光した光量に基づいて出射するレーザ光の光量を一定に自動制御する、いわゆるオートパワーコントロール（ＡＰＣ、Auto Power Control）が行われている。
【０００４】
【特許文献１】特開平０８−３３０６６１号公報
【特許文献２】特開２００４−２０７９１１号公報
【発明の開示】
【発明が解決しようとする課題】
【０００５】
ところで、最近では、光トランシーバの低コスト化、広帯域化の要請により、面発光型のレーザ（ＶＣＳＥＬ、Vertical Cavity Surface Emitting Laser）が用いられるようになっている。しかしながら、ＶＣＳＥＬを用いた場合、基板表面に対して垂直方向に光共振器が構成されるため、従来のようなバックモニター光をとりだすことが困難であり、効率的なＡＰＣを行うことが難しい。したがって、ＶＣＳＥＬが採用された光通信装置では、レーザを発光させるオープン制御が一般的に用いられ、レーザ光量のバラツキや、温度特性による変化等が問題になる。
【０００６】
また、例えば、ＶＣＳＥＬを用いた場合のＡＰＣとして、光の一部を９０度屈折させ、屈折させた光の先にＰＤをおいてＡＰＣを構成する方法が提案されている（例えば、特許文献１参照）。この方法では、ＰＤとＶＣＳＥＬが同一基板上に形成されていないので配線が複雑になり、組立性や、サイズ等の問題がある。
【０００７】
また、同一基板上にＰＤとＶＣＳＥＬを配置させる構造として、ホログラムレンズを用いて光の一部を基板側に戻す方式等が提案されている（例えば、特許文献２参照）。ところが、透明基板に電極とホログラムを構成することは、現実的に作製が困難な問題があり、また、透明基板に電極を作成すると、抵抗値等が低くできないため高周波特性が悪化し、また、同一基板上にドライバーや、アンプ等のチップの実装も困難である。
【０００８】
そこで、本発明では、基板表面にＶＣＳＥＬとＡＰＣ用のＰＤを実装した構成において、効率的なＡＰＣを実現し、かつ、光学系を自由に設計できる光学ユニットを提供する。
【課題を解決するための手段】
【０００９】
本発明に係る光学ユニットは、上述の課題を解決するために、面発光によりレーザ光を出射する面発光レーザ部と、上記面発光レーザ部から発光されたレーザ光の一部を受光する受光部とが同一平面上に実装されてなる基板と、上記面発光レーザ部から出射されたレーザ光を平行光にするコリメートレンズと、上記コリメートレンズから出射される平行光を光ファイバの端面に集光する集光レンズと、上記コリメートレンズから出射される平行光の一部を反射させる反射部とを有する光学手段と、上記反射部により反射された光を上記受光部により受光し、当該反射光の光量に応じて上記面発光レーザ部から出射されるレーザ光の光量を制御する制御手段とを備えてなる。
【発明の効果】
【００１０】
本願発明では、簡易な構造であり、設計における各素子の配置精度が柔軟な光学部材を用いることにより、同一基板の平面上にＶＣＳＥＬと、ＡＰＣ用のＰＤと、ＲＸ用のＰＤを配置し、光伝送装置自体のサイズの小規模化を図ることができる。
【発明を実施するための最良の形態】
【００１１】
以下、本発明の実施の形態について、図面を参照しながら詳細に説明する。
【００１２】
相互に光信号の伝送を行うための光伝送装置１の例を図１（ａ）、（ｂ）に示す。光伝送装置１は、光ファイバ１０を保護し、精度のよい光ファイバ軸整列を行う光コネクタ１１と、光コネクタ１１が接続され、光信号を電気信号に変換し、また、電気信号を光信号に変換する光トランシーバ１２と、シリアル信号を送受信する信号処理回路が実装されている基板１３と、光トランシーバ１２と基板１３を結合するコネクタ１４からなる。
【００１３】
光トランシーバ１２は、光ファイバ１０とのカップリング用の光学系と光電変換素子や周辺回路で構成される。また、光コネクタ１１は、ジルコニアを高い精度で加工して作られたフェルールからなり、光トランシーバ１２と光ファイバ１０を結合している。
【００１４】
基板１３には、シリアル信号を送受信する際の信号処理を行う信号処理回路（SERDES，Serializer/Deserializer）のチップ（以下、ＳＥＲＤＥＳチップという。）１３Ａが実装されている。
【００１５】
コネクタ１４は、光トランシーバ１２と基板１３を結合しており、現在、１０Ｇｂｐｓまでのデータを伝送する光伝送装置においては、ＳＦＰコネクタ及びＸＦＰコネクタと呼ばれる規格品が広く使われている。ここで、図２にＳＦＰ（Small Form Factor Pluggable）コネクタ１４の外観図を示す。ＳＦＰコネクタは、高い周波特性を得るために表面実装タイプのコネクタになっている。なお、ＸＦＰコネクタとは、ＳＦＰコネクタよりピン数が多いコネクタのことである。
【００１６】
また、光伝送装置１では、図１に示されるようなコンタクト用のパターンが形成された光トランシーバ１２の所定の回路パターンが形成されている一方端を、ＳＦＰコネクタに挿入することで基板に実装されているＳＥＲＤＥＳチップと電気的に結合される。
【００１７】
ここで、カードエッジ型の光トランシーバ１２の構造について説明する。なお、以下では、光コネクタ１１は、送信用の光ファイバ４本と、受信用の光ファイバ４本の合計８本の光ファイバが一体となって構成される。
【００１８】
光トランシーバ１２は、所定のレンズアレーにより構成される光学部材２０と、所定の光学素子が実装された基板２１とから構成される。
【００１９】
基板２１の平面上には、ＴＸ（送信）用の面発光型レーザ（ＶＣＳＥＬ、Vertical Cavity Surface Emitting Laser）と、自動光量制御部（ＡＰＣ、Auto Power Control）用の受光部（ＰＤ、Photo Detector）と、ＲＸ（受信）用のＰＤとが所定位置に実装されてなる。なお、ＶＣＳＥＬ、ＡＰＣ用のＰＤ及びＲＸ用のＰＤの構成は、用途に応じて適宜変更されるものとし、本実施例では、基板２１の平面上に、ＶＣＳＥＬ３０Ａ，３０Ｂ，３０Ｃ，３０Ｄ（以下、ＶＣＳＥＬ３０という。）と、ＡＰＣ用のＰＤ３１Ａ，３１Ｂ，３１Ｃ，３１Ｄ（以下、ＡＰＣ用のＰＤ３１という。）と、ＲＸ用のＰＤ３２Ａ，３２Ｂ，３２Ｃ，３２Ｄ（以下、ＲＸ用のＰＤ３２という。）がそれぞれ実装されているものとする。また、基板２１は、ＦＲ４（ガラスエポキシ）等の安価な材料により構成される。
【００２０】
ＶＣＳＥＬ３０は、面発光によりレーザ発光する光源である。ＡＰＣ用のＰＤ３１は、ＶＣＳＥＬ３０から発光された光の一部をＡＰＣ用に受光する素子である。また、ＶＣＳＥＬ３０は、外気温等の環境の変化や経時劣化等の影響により、出射強度が変動するため、ＡＰＣ用のＰＤ３１等により適宜、出射強度（光量強度）をモニタリングし、適正な強度に制御する必要がある。
【００２１】
ここで、ＶＣＳＥＬ３０により出射されるレーザ光の光量制御について図３を用いて説明する。ＶＣＳＥＬ３０から出射されたレーザ光は、詳細は後述するが、光学部材２０に入射後、一部が反射光として戻ってきて、ＡＰＣ用のＰＤ３１に入射される。ＡＰＣ用のＰＤ３１に入射された光は、制御部３３に送信される。制御部３３は、ＡＰＣ用のＰＤ３１で受光した光量に基づいてＶＣＳＥＬ３０から出射されるレーザ光の光量を適宜制御する。
【００２２】
また、光学部材２０は、ＶＣＳＥＬ３０から出射されたレーザ光を平行光にするコリメートレンズと、コリメートレンズから出射される平行光を光ファイバの端面に集光する集光レンズと、コリメートレンズから出射される平行光の一部を反射させる反射部とを基本構成としている。
【００２３】
＜第１の構成＞
ここで、光学部材２０の具体的な第１の構成について図４Ａ，Ｂを用いて以下に説明する。
【００２４】
光学部材２０は、図４Ａ，Ｂに示すように、少なくとも、ＶＣＳＥＬ３０とＡＰＣ用のＰＤ３１が実装されている面と平行に向き合い、ＶＣＳＥＬ３０から出射されるレーザ光を平行光にするコリメートレンズ４０Ａ，４０Ｂ，４０Ｃ，４０Ｄ（以下、コリメートレンズ４０という。）と、ＡＰＣ用のＰＤ３１に反射光を出射する出射部４１Ａ，４１Ｂ，４１Ｃ，４１Ｄ（以下、出射部４１という。）が形成されてなる第１の面Ａと、コリメートレンズ４０により平行光にされたレーザ光を透過及び反射させるハーフミラー４２が形成されてなる第２の面Ｂと、ハーフミラー４２により反射された光を第１の面Ａの出射部４１に全反射させる全反射ミラー４３が形成されてなる第３の面Ｃを有する所定形状の第１の光学部材２０Ａと、少なくとも、第２の面Ｂと密着し、ハーフミラー４２により透過された光を透過させる第４の面Ｄと、第４の面Ｄを透過した光を送信用の光ファイバの端面に集光する集光レンズ４４Ａ，４４Ｂ，４４Ｃ，４４Ｄ（以下、集光レンズ４４という。）と、受信用の光ファイバから出射された光を平行光にするコリメートレンズ４５Ａ，４５Ｂ，４５Ｃ，４５Ｄ（以下、コリメートレンズ４５という。）とが形成されてなる第５の面Ｅと、コリメートレンズ４５により平行光にされた光をＲＸ用のＰＤ３２に集光する集光レンズ４６Ａ，４６Ｂ，４６Ｃ，４６Ｄ（以下、集光レンズ４６という。）が形成されてなる第６の面Ｆを有する所定形状の第２の光学部材２０Ｂとにより構成される。また、第１の面Ａに形成されている出射部４１は、全反射ミラー４３により全反射されてきた光をＡＰＣ用のＰＤ３１に集光する集光レンズにより形成されていても良い。なお、ハーフミラー４２は、第１の光学部材２０Ａの第２の面Ｂではなく、第２の光学部材２０Ｂの第４の面Ｄに形成されていても良い。
【００２５】
また、光学部材２０の設計においては、図５に示すように、ＶＣＳＥＬ３０の発光面の中心と、コリメートレンズ４０の中心と、集光レンズ４４の中心が同一線上となり、また、ＡＰＣ用のＰＤ３１の受光面の中心と出射部４１の中心が同一線上となり、さらに、ＲＸ用のＰＤ３２の受光面の中心と、コリメートレンズ４５の中心と、集光レンズ４６の中心が同一線上となるように適宜設計を行う。
【００２６】
また、第１の光学部材２０Ａでは、例えば、第１の面Ａと第２の面Ｂとのなす角、及び第１の面Ａと第３の面Ｃとのなす角は、４５度になるように形成されている。したがって、ＶＣＳＥＬ３０から出射されたレーザ光が、第１の面Ａに形成されているコリメートレンズ４０により平行光にされ、平行光にされた光の一部が第２の面Ｂに形成されているハーフミラー４２に４５度の角度で入射し、その後、４５度の角度で反射され、当該反射光が第３の面Ｃに形成されている全反射ミラー４３に入射し、その後、４５度の角度で反射され、当該反射光が、第１の面Ａに形成されている出射部４１を介してＡＰＣ用のＰＤ３１に入射する。
【００２７】
また、設計上の要求から、基板２１平面上に形成されるＶＣＳＥＬ３０とＡＰＣ用のＰＤ３１の距離を任意の間隔にする場合には、光学部材２０の形状を適宜変形し、例えば、図６に示すように、第１の光学部材２０Ａの形状を台形にする。
【００２８】
このようにして、上述した第１の構成、すなわち、簡易な構造の光学系（光学部材）によって、ＡＰＣ用のＰＤ３１をＶＣＳＥＬ３０及びＲＸ用のＰＤ３２と同一基板２１の平面上に実装することでき、ＡＰＣ用のＰＤ３１に効率よくＶＣＳＥＬ３０から出射されるレーザ光の一部を供給することができる。
【００２９】
＜第２の構成＞
また、光学部材２０の具体的な第２の構成について図７Ａ，Ｂを用いて以下に説明する。
【００３０】
光学部材２０は、図７Ａ，Ｂに示すように、少なくとも、ＶＣＳＥＬ３０と、ＡＰＣ用のＰＤ３１が実装されている面と平行に向き合い、ＶＣＳＥＬ３０から出射されるレーザ光を平行光にするコリメートレンズ５０Ａ，５０Ｂ，５０Ｃ，５０Ｄ（以下、コリメートレンズ５０という。）と、ＡＰＣ用のＰＤ３１に反射光を出射する出射部５１Ａ，５１Ｂ，５１Ｃ，５１Ｄ（以下、出射部５１という。）とが形成されてなる第１の面Ａと、コリメートレンズ５０により平行光にされたレーザ光の一部を所定方向に全反射する全反射ミラー５２が形成されている切り込み部（Ｖ溝）５３と、全反射ミラー５２により反射されてきた光をＡＰＣ用のＰＤ３１に反射する全反射ミラー５４と、コリメートレンズ５０により平行光にされたレーザ光の一部を所定方向に全反射する全反射ミラー５５が形成されている切り込み部（Ｖ溝）５６と、全反射ミラー５５により反射されてきた光をＡＰＣ用のＰＤ３１に反射する全反射ミラー５７が形成されている切り込み部（Ｖ溝）５８と、コリメートレンズ５０により平行光にされたレーザ光を光ファイバの端面に集光する所定形状にカットされた集光レンズ５９Ａ，５９Ｂ，５９Ｃ，５９Ｄ（以下、集光レンズ５９という。）と、受信用の光ファイバから出射された光を平行光にするコリメートレンズ６０Ａ，６０Ｂ，６０Ｃ，６０Ｄ（以下、コリメートレンズ６０という。）とが形成されてなる第２の面Ｂを有する。また、第１の面Ａに形成されている出射部５１は、全反射ミラー５４，５７により全反射されてきた光をＡＰＣ用のＰＤ３１に集光する集光レンズにより形成されていても良い。
【００３１】
また、第１の面Ａには、さらに、コリメートレンズ６０により平行光にされた光をＲＸ用のＰＤ３２に集光する集光レンズ６１Ａ，６１Ｂ，６１Ｃ，６１Ｄ（以下、集光レンズ６１という。）が形成されている。
【００３２】
また、光学部材２０の設計においては、図８に示すように、ＶＣＳＥＬ３０の発光面の中心と、コリメートレンズ５０の中心と、集光レンズ５９の中心（カット前の集光レンズ５９の中心）が同一線上となり、また、ＡＰＣ用のＰＤ３１の受光面の中心と出射部５１の中心が同一線上となり、さらに、ＲＸ用のＰＤ３２の受光面の中心と、コリメートレンズ６０の中心と、集光レンズ６１の中心が同一線上となるように適宜設計を行う。また、切り込み部５３，５６は、図８に示すように、集光レンズ５９のカット面に隣接するように形成される。
【００３３】
ここで、集光レンズ５９のカットについて説明する。集光レンズ５９は、コリメートレンズ５０により平行光とされた光の約９０パーセントの光量を送信用の光ファイバ端面に集光できるように、レンズの縁部がカットされている。
【００３４】
このようにして、上述した第２の構成、すなわち、簡易な構造の光学系（光学部材）によって、ＡＰＣ用のＰＤ３１をＶＣＳＥＬ３０及びＲＸ用のＰＤ３２と同一基板２１の平面上に実装することでき、ＡＰＣ用のＰＤ３１に効率よくＶＣＳＥＬ３０から出射されるレーザ光の一部を供給することができる。
【００３５】
また、光トランシーバ１２は、図９Ａ，Ｂに示すように、上述したレンズアレーにより構成される光学部材２０と、ＶＣＳＥＬ３０等の光学素子が実装された基板２１とから構成される。
【００３６】
＜第３の構成＞
また、光学部材２０の具体的な第３の構成について図１０Ａ，Ｂを用いて以下に説明する。
【００３７】
光学部材２０は、図１０Ａ，Ｂに示すように、少なくとも、ＶＣＳＥＬ３０と、ＡＰＣ用のＰＤ３１が実装されている面と平行に向き合い、ＶＣＳＥＬ３０から出射されるレーザ光を平行光にするコリメートレンズ６２と、ＡＰＣ用のＰＤ３１に反射光を出射する出射部６３とが形成されてなる第１の面Ａと、コリメートレンズ６２により平行光にされたレーザ光を所定方向に全反射する全反射ミラー６４が形成されてなる第２の面Ｂと、全反射ミラー６４により全反射された光を光ファイバの端面に集光する集光レンズ６５が形成されてなる第３の面Ｃとを有する。また、第１の面Ａに形成されている出射部６３は、全反射ミラー６４により全反射されてきた光をＡＰＣ用のＰＤ３１に集光する集光レンズにより形成されていても良い。
【００３８】
また、第２の面Ｂは、コリメートレンズ６２により平行光にされたレーザ光の一部を第１の面Ａに形成されている出射部６３に反射するように切り欠き部Ｘが成形されている。なお、第２の面Ｂには、切り欠き部Ｘではなく、所定の曲率又は角度を有する形状に成形しても良い。また、全反射ミラー６４は、例えば、金属蒸着法により第２の面Ｂの所定箇所に形成される。
【００３９】
また、第３の面Ｃには、さらに受信用の光ファイバから出射された光を平行光にするコリメートレンズ６６が形成されている。また、第１の面Ａには、さらにコリメートレンズ６６により平行光にされた光を基板２１平面上に形成されているＲＸ用のＰＤ３２に集光する集光レンズ６７が形成されている。
【００４０】
また、光学部材２０は、第２の面Ｂから第３の面Ｃを見た場合、例えば、図１１に示すように、切り欠き部Ｘを第２の面Ｂ全体に成形した場合には、送信用のレンズである集光レンズ６５の一部分が切り欠き部Ｘにかかり、受信用のレンズであるコリメートレンズ６６は切り欠き部Ｘにかからないように設計される。この場合には、集光レンズ６５とコリメートレンズ６６の水平方向の位置にずれが生じる。
【００４１】
また、光学部材２０は、第２の面Ｂから第３の面Ｃを見た場合、例えば、図１２に示すように、切り欠き部Ｘを第２の面Ｂの一部に形成した場合には、送信用のレンズである集光レンズ６５の一部分が切り欠き部Ｘにかかるように設計される。この場合には、集光レンズ６５とコリメートレンズ６６の水平方向の位置にずれは生じない。
【００４２】
また、光学部材２０では、第１の面Ａと第２の面Ｂとのなす角は、４５度になるように形成され、また、第１の面Ａと第３の面Ｃとのなす角は、９０度になるように形成されている。したがって、ＶＣＳＥＬ３０から出射されたレーザ光が、第１の面Ａに形成されているコリメートレンズ６２により平行光にされ、平行光にされた光の一部（全光量の９０パーセント程度）が第２の面Ｂに形成されている全反射ミラー６４に４５度の角度で入射し、その後、４５度の角度で反射され、当該反射光が第３の面Ｃに形成されている集光レンズ６５を介して光ファイバに入射する。一方、コリメートレンズ６２により平行光にされ、第３の面Ｃに反射されなかった光は、切り欠き部Ｘに入射し、その後、所定角度で反射され、第２の面Ｂに形成されている出射部６３を介してＡＰＣ用のＰＤ３１に入射する。
【００４３】
このようにして、光学部材２０を構成することにより、ＶＣＳＥＬ３０とＲＸ用のＰＤ３２が実装されている基板１２と同一平面上に実装されたＡＰＣ用のＰＤ３１に対して、効率よく光を分離して入射することができる。また、簡易な構造の光学系（光学部材）によって、ＡＰＣ用のＰＤ３１をＶＣＳＥＬ３０及びＲＸ用のＰＤ３２と同一基板の平面上に実装することが可能となる。
【００４４】
＜第４の構成＞
また、光学部材２０の具体的な第４の構成について図１３Ａ，Ｂを用いて以下に説明する。
【００４５】
光学部材２０は、図１３Ａ，Ｂに示すように、少なくとも、ＶＣＳＥＬ３０とＡＰＣ用のＰＤ３１が実装されている面と平行に向き合い、ＶＣＳＥＬ３０から出射されるレーザ光を平行光にするコリメートレンズ７０Ａ，７０Ｂ，７０Ｃ，７０Ｄ（以下、コリメートレンズ７０という。）と、ＡＰＣ用のＰＤ３１に反射光を出射する出射部７１Ａ，７１Ｂ，７１Ｃ，７１Ｄ（以下、出射部７１という。）とが形成されてなる第１の面Ａと、コリメートレンズ７０により平行光にされたレーザ光を透過及び反射させるハーフミラー７２が形成されてなる第２の面Ｂと、ハーフミラー７２により反射された光を第１の面Ａの出射部７１に全反射させる全反射ミラー７３が形成されてなる第３の面Ｃを有する所定形状の第１の光学部材２０Ａと、少なくとも、第２の面Ｂと密着し、ハーフミラー７２により透過された光を透過させる第４の面Ｄと、第４の面Ｄを透過した光を所定方向に全反射させる全反射ミラー７４が形成されてなる第５の面Ｅと、全反射ミラー７４により全反射された光を光ファイバの端面に集光する集光レンズ７５Ａ，７５Ｂ，７５Ｃ，７５Ｄ（以下、集光レンズ７５という。）と、受信用の光ファイバから出射された光を平行光にするコリメートレンズ７６Ａ，７６Ｂ，７６Ｃ，７６Ｄ（以下、コリメートレンズ７６という。）が形成されてなる第６の面Ｆと、コリメートレンズ７６により平行光にされた光が第５の面Ｅに形成されている全反射ミラー７４により全反射され、当該全反射された光をＲＸ用のＰＤ３２に集光する集光レンズ７７Ａ，７７Ｂ，７７Ｃ，７７Ｄ（以下、集光レンズ７７という。）が形成されてなる第７の面Ｇを有する所定形状の第２の光学部材２０Ｂとにより構成される。なお、ハーフミラー７２は、第１の光学部材２０Ａの第２の面Ｂではなく、第２の光学部材２０Ｂの第４の面Ｄに形成されていても良い。また、第１の面Ａに形成されている出射部７１は、全反射ミラー７３により全反射されてきた光をＡＰＣ用のＰＤ３１に集光する集光レンズにより形成されていても良い。
【００４６】
また、光学部材２０の設計においては、図１４に示すように、ＶＣＳＥＬ３０の発光面の中心と、コリメートレンズ７０の中心が同一線上となり、また、ＡＰＣ用のＰＤ３１の受光面の中心と出射部７１の中心が同一線上となり、また、第１の面Ａに形成されるコリメートレンズ７０及び出射部７１はそれぞれ水平方向における中心位置が同一線上となり、また、第６の面Ｆに形成されるコリメートレンズ７６及び集光レンズ７５はそれぞれ水平方向における中心位置が同一線上となり、また、第７の面Ｇに形成される集光レンズ７７は水平方向における中心位置が同一線上となり、また、第１の光学部材２０Ａと第２の光学部材２０Ｂを密着させた後、第６の面Ｆから第５の面Ｅを見た場合、コリメートレンズ７０、出射部７１、集光レンズ７５、コリメートレンズ７６及び集光レンズ７７の中心位置が同一線上となるように適宜設計を行う。
【００４７】
また、第１の光学部材２０Ａでは、例えば、第１の面Ａと第２の面Ｂとのなす角、及び第１の面Ａと第３の面Ｃとのなす角が４５度になるように形成されている。
【００４８】
したがって、ＶＣＳＥＬ３０から出射されたレーザ光が、第１の面Ａに形成されているコリメートレンズ７０により平行光にされ、平行光にされた光の一部が第２の面Ｂに形成されているハーフミラー７２に４５度の角度で入射し、その後、４５度の角度で反射され、当該反射光が第３の面Ｃに形成されている全反射ミラー７３に４５度の角度で入射し、その後、４５度の角度で全反射され、当該全反射された光が第３の面Ｃに形成されている出射部７１を介してＡＰＣ用のＰＤ３１に入射する。
【００４９】
また、設計上の要求から、基板２１平面上に形成されるＶＣＳＥＬ３０とＡＰＣ用のＰＤ３１の距離を任意の間隔にする場合には、光学部材２０の形状を適宜変形し、例えば、図１５に示すように、第１の光学部材２０Ａの形状を台形にする。
【００５０】
＜第５の構成＞
また、光学部材２０の具体的な第５の構成について図１６Ａ，Ｂを用いて以下に説明する。
【００５１】
光学部材２０は、図１６Ａ，Ｂに示すように、少なくとも、ＶＣＳＥＬ３０と、ＡＰＣ用のＰＤ３１が実装されている面と平行に向き合い、ＶＣＳＥＬ３０から出射されるレーザ光を平行光にするコリメートレンズ８０Ａ，８０Ｂ，８０Ｃ，８０Ｄ（以下、コリメートレンズ８０という。）と、ＡＰＣ用のＰＤ３１に反射光を出射する出射部８１Ａ，８１Ｂ，８１Ｃ，８１Ｄ（以下、出射部８１という。）とが形成されてなる第１の面Ａと、所定形状の切り込み部Ｙが形成されており、切り込み部Ｙにコリメートレンズ８０により平行光にされたレーザ光の一部を一の方向に全反射させる全反射ミラー８２が形成され、全反射ミラー８２により反射された光を第１の面Ａに形成されている出射部８１に全反射する全反射ミラー８３と、コリメートレンズ８０により平行光にされたレーザ光を他の方向に全反射させる全反射ミラー８４が形成されてなる第２の面Ｂと、全反射ミラー８４により全反射された光を光ファイバの端面に集光する集光レンズ８５Ａ，８５Ｂ，８５Ｃ，８５Ｄ（以下、集光レンズ８５という。）が形成されてなる第３の面Ｃを有する。また、第３の面Ｃには、さらに受信用の光ファイバから出射された光を平行光にするコリメートレンズ８６Ａ，８６Ｂ，８６Ｃ，８６Ｄ（以下、コリメートレンズ８６という。）が形成されている。また、第１の面Ａには、さらにコリメートレンズ８６により平行光にされた光を基板２１平面上に形成されているＲＸ用のＰＤ３２に集光する集光レンズ８７Ａ，８７Ｂ，８７Ｃ，８７Ｄ（以下、集光レンズ８７という。）が形成されている。また、第１の面Ａに形成されている出射部８１は、全反射ミラー８３により全反射されてきた光をＡＰＣ用のＰＤ３１に集光する集光レンズにより形成されていても良い。
【００５２】
また、第２の面Ｂに形成されている全反射ミラー８２，８３，８４は、例えば、金属蒸着法により、一体的（第２の面Ｂ全体）に形成されても良い。
【００５３】
切り込み部Ｙは、基板１２上のＶＣＳＥＬ３０から出射されたレーザ光の一部を、基板１２上のＡＰＣ用のＰＤ３１に入射させるための形状をなしており、例えば、図１６Ａ，Ｂに示すように、第２の面の一部に切り込みが設けられている。
【００５４】
また、光学部材２０では、例えば、第１の面Ａと第２の面Ｂとのなす角は、４５度になるように形成され、また、全反射ミラー８２が形成されている面と全反射ミラー８３が形成されている面とのなす角は、９０度になるように形成されている。
【００５５】
したがって、ＶＣＳＥＬ３０から出射されたレーザ光は、コリメートレンズ８０により平行光にされ、当該平行光の一部が全反射ミラー８２に４５度の角度で入射し、その後、４５度の角度で全反射され、当該全反射された光が全反射ミラー８３に４５度の角度で入射し、その後、４５度の角度で全反射され、当該全反射された光が第１の面Ａに形成されている出射部８１を介してＡＰＣ用のＰＤ３１に入射する。
【００５６】
また、光学部材２０の設計においては、ＶＣＳＥＬ３０の発光面の中心と、コリメートレンズ８０の中心が同一線上となり、また、ＡＰＣ用のＰＤ３１の受光面の中心と出射部８１の中心が同一線上となり、また、第１の面Ａに形成されるコリメートレンズ８０、出射部８１及び集光レンズ８７はそれぞれ水平方向における中心位置が同一線上となり、また、第３の面Ｃに形成されるコリメートレンズ８６及び集光レンズ８５はそれぞれ水平方向における中心位置が同一線上となり、また、第２の面Ｂから第３の面Ｃを見た場合、コリメートレンズ８０、出射部８１、集光レンズ８７、コリメートレンズ８６及び集光レンズ８５の中心位置が同一線上となるように適宜設計を行う。また、集光レンズ８５は、図１７に示すように、集光レンズ８５の一部分が切り込み部Ｙにかかる位置に適宜設計される。
【００５７】
また、光トランシーバ１２は、図１８に示すように、上述したレンズアレーにより構成される光学部材２０と、ＶＣＳＥＬ３０等の光学素子が実装された基板２１とから構成される。
【００５８】
このようにして、上述した第５の構成、すなわち、簡易な構造の光学系（光学部材）によって、ＡＰＣ用のＰＤ３１をＶＣＳＥＬ３０及びＲＸ用のＰＤ３２と同一基板２１の平面上に実装することでき、ＡＰＣ用のＰＤ３１に効率よくＶＣＳＥＬ３０から出射されるレーザ光の一部を供給することができる。
【００５９】
＜第６の構成＞
ここで、光学部材２０の具体的な第６の構成について図１９Ａ，Ｂ，Ｃを用いて以下に説明する。
【００６０】
光学部材２０は、図１９Ａ，Ｂ，Ｃに示すように、少なくとも、ＶＣＳＥＬ３０とＡＰＣ用のＰＤ３１が実装されている面と平行に向き合い、ＶＣＳＥＬ３０から出射されるレーザ光を平行光にするコリメートレンズ９０Ａ，９０Ｂ，９０Ｃ，９０Ｄ（以下、コリメートレンズ９０という。）と、ＡＰＣ用のＰＤ３１に反射光を出射する出射部９１Ａ，９１Ｂ，９１Ｃ，９１Ｄ（以下、出射部９１という。）とが形成されてなる第１の面Ａと、コリメートレンズ９０により平行光にされたレーザ光を透過及び反射させるハーフミラー９２が形成されてなる第２の面Ｂと、ハーフミラー９２により反射された光を第１の面Ａの出射部９１に全反射させる全反射ミラー９３が形成されてなる第３の面Ｃを有する所定形状の第１の光学部材２０Ａと、少なくとも、第２の面Ｂと密着し、ハーフミラー９２により透過された光（平行光）を透過させる第４の面Ｄと、第４の面Ｄを透過した光を出射し、入射された光を透過させる第５の面Ｅと、第５の面Ｅを透過した光をＲＸ用のＰＤ３２に集光する集光レンズ９４Ａ，９４Ｂ，９４Ｃ，９４Ｄ（以下、集光レンズ９４という。）が形成されてなる第６の面Ｆを有する所定形状の第２の光学部材２０Ｂと、少なくとも、第５の面Ｅから出射された光（平行光）を光ファイバの端面に集光する集光レンズ９５Ａ，９５ｂ，９５Ｃ，９５Ｄ（以下、集光レンズ９５という。）と、受信用の光ファイバから出射された光を平行光にするコリメートレンズ９６Ａ，９６Ｂ，９６Ｃ，９６Ｄ（以下、コリメートレンズ９６という。）が形成されてなる第７の面Ｇを有する所定形状の第３の光学部材２０Ｃとから構成される。
【００６１】
また、第１の面Ａに形成されている出射部９１は、全反射ミラー９３により全反射されてきた光をＡＰＣ用のＰＤ３１に集光する集光レンズにより形成されていても良い。
【００６２】
また、第１の光学部材２０Ａでは、例えば、第１の面Ａと第２の面Ｂとのなす角、及び第１の面Ａと第３の面Ｃとのなす角は、４５度になるように形成されている。
【００６３】
したがって、ＶＣＳＥＬ３０から出射されたレーザ光が、第１の面Ａに形成されているコリメートレンズ７０により平行光にされ、平行光にされた光の一部が第２の面Ｂに形成されているハーフミラー９２に４５度の角度で入射し、その後、４５度の角度で反射され、当該反射光が第３の面Ｃに形成されている全反射ミラー９３に４５度の角度で入射し、その後、４５度の角度で全反射され、当該全反射された光が第３の面Ｃに形成されている出射部９１を介してＡＰＣ用のＰＤ３１に入射する。
【００６４】
このようにして、光ファイバ側の光学部材２０Ｃと、ＶＣＳＥＬ３０等の光学素子側の光学部材２０Ａ，２０Ｂとを平行光によって結合する構造となるので、光学部材２０Ａ，２０Ｂと、光学部材２０Ｃとの位置精度及び距離精度を柔軟に決定することができる。
【００６５】
また、第２の光学部材２０Ｂは、図２０（ａ）、（ｂ）、（ｃ）に示すように、各光ファイバと結合されている。光ファイバの端部と第２の光学部材２０Ｂの間は、光ファイバと屈折率が同等の部材（以下、ファイバブロックという。）１０Ａによって埋められている。また、ファイバブロック１０Ａは、図２０（ｂ）、（ｃ）に示すように、光ファイバ１０の位置決め用のＶ溝を設けており、光ファイバとの結合を容易なものとしている。なお、図２０（ｂ）は、ファイバブロック１０Ａを上面から眺めた図であり、図２０（ｃ）は、ファイバブロック１０Ａの斜視図である。
【００６６】
また、第１の光学部材２０Ａと第２の光学部材２０Ｂは、図２１に示すように、一体的な構造で構成されていても良い。なお、以下では、一体的な第１の光学部材２０Ａと第２の光学部材２０Ｂを光学部材２０Ｄという。
【００６７】
この場合には、ＶＣＳＥＬ３０から出射された光は、コリメータレンズ９０により平行光にされ、当該平行光は、ハーフミラー９２が形成されている出射面（三角プリズム１００）に４５度の角度で入射し、その後、一部の光が４５度の角度で反射されて、全反射ミラー９３が形成されている面に入射し、その後、全反射ミラー９３によって全反射され、当該全反射された光が出射部９１を介してＡＰＣ用のＰＤ３１に入射する。また、ハーフミラー９２を透過した光は、光学部材２０Ｄの集光レンズ９４に入射し、入射後に集光されて送信用の光ファイバに出射される。なお、ハーフミラー９２は、三角プリズム１００の斜面に形成されていても良いし、光学部材２０Ｄの斜面に形成されていても良い。
【００６８】
このように構成されることにより、第１の光学部材２０Ａと第２の光学部材２０Ｂの物理的な結合工程が不要となるので、ファイバブロック１０Ａが接合された光学部材２０Ｃとの位置精度を柔軟にすることができる。
【００６９】
また、第１の光学部材２０Ａと第２の光学部材２０Ｂは、図２２に示すように、コリメートレンズ９０と、出射部９１と、集光レンズ９４が形成された部材２０Ｅと、ハーフミラー９２と、全反射ミラー９３が形成された部材２０Ｆと、三角プリズム１００が互いに密着する構造であっても良い。このような構造の場合には、ミラーを形成する工程と、各レンズを形成する工程を完全分離することができるので、ミラーを形成する部材のみをガラス等の素材を採用することができ、また、ミラー成型時の温度条件の制約がなくなり、性能及びコスト面の改善を図ることができる。なお、ハーフミラー９２は、部材２０Ｆの斜面に形成されていても良いし、三角プリズム１００の斜面に形成されていても良い。
【００７０】
このようにして、上述した第６の構成、すなわち、簡易な構造の光学系（光学部材）によって、ＡＰＣ用のＰＤ３１をＶＣＳＥＬ３０及びＲＸ用のＰＤ３２と同一基板２１の平面上に実装することでき、ＡＰＣ用のＰＤ３１に効率よくＶＣＳＥＬ３０から出射されるレーザ光の一部を供給することができる。
【００７１】
このように構成される光伝送装置１は、所定のレンズアレーにより形成されている光学部材２０により、ＶＣＳＥＬ３０から出射されたレーザ光の一部をＡＰＣ用のＰＤ３１に戻し、制御部３３によりＶＣＳＥＬ３０から出射されるレーザ光の光量を制御し、また、当該光学部材２０を介して入射される受信光をＲＸ用のＰＤ３２に出力するので、簡易な構造の光学部材２０を用いて、同一基板の平面上にＶＣＳＥＬ３０と、ＡＰＣ用のＰＤ３１と、ＲＸ用のＰＤ３２を配置することができ、光伝送装置１自体のサイズを小規模化することができる。また、基板２１の原料をＦＲ４（ガラスエポキシ）等の安価な材料にすることにより、コストの削減を図ることもできる。
【００７２】
また、光伝送装置１は、ＡＰＣ用のＰＤ３１以外にも、ＶＣＳＥＬ３０等を制御するレーザドライバや、レーザ光を増幅するアンプ等の素子も同一基板上に実装することができるので、光学材料２０のレンズアレーを例えば、図７のような構成にすることにより、ＶＣＳＥＬ３０とＡＰＣ用のＰＤ３１を近接して基板２１上に配置し、かつ各素子もそれぞれ近接化して基板２１上に配置することにより高周波特性の改善を図ることができる。
【００７３】
なお、上述では、コリメートレンズによる平行光を用いた例を示したが、平行光の代わりに収束光を用いることによりレンズを省略することができることは自明である。
【００７４】
また、本発明は、図面を参照して説明した上述の実施例に限定されるものではなく、添付の請求の範囲及びその主旨を逸脱することなく、様々な変更、置換又はその同等のものを行うことができることは勿論である。
【図面の簡単な説明】
【００７５】
【図１】本発明に係る光伝送装置の構成を示す斜視図である。
【図２】コネクタの外観斜視図である。
【図３】自動光量制御についての説明に供する図である。
【図４Ａ】本発明に係る光学部材の第１の構成例を示す模式図である。
【図４Ｂ】本発明に係る光学部材の第１の構成例を示す模式図である。
【図５】図４に示す光学部材のレンズアレーを示す図である。
【図６】図４に示す光学部材における他の構成例を示す図である。
【図７Ａ】本発明に示す光学部材の第２の構成例を示す模式図である。
【図７Ｂ】本発明に示す光学部材の第２の構成例を示す模式図である。
【図８】図７に示す光学部材のレンズアレーを示す図である。
【図９Ａ】図７に示す光学部材を用いた光伝送装置の構成を示す斜視図である。
【図９Ｂ】図７に示す光学部材を用いた光伝送装置の構成を示す斜視図である。
【図１０Ａ】光学部材の第３の構成例を示す図である。
【図１０Ｂ】光学部材の第３の構成例を示す図である。
【図１１】図１０に示す光学部材を所定の形状に成型した場合のレンズアレー配置の第１のパターンを示す図である。
【図１２】図１０に示す光学部材を所定の形状に成型した場合のレンズアレー配置の第２のパターンを示す図である。
【図１３Ａ】光学部材の第４の構成例を示す図である。
【図１３Ｂ】光学部材の第４の構成例を示す図である。
【図１４】図１３に示す光学部材のレンズアレーを示す図である。
【図１５】図１３に示す光学部材における他の構成例を示す図である。
【図１６Ａ】光学部材の第５の構成例を示す図である。
【図１６Ｂ】光学部材の第５の構成例を示す図である。
【図１７】図１７に示す光学部材のレンズアレーを示す図である。
【図１８】図１７に示す光学部材を用いた光伝送装置の構成を示す斜視図である。
【図１９Ａ】光学部材の第６の構成例を示す図である。
【図１９Ｂ】光学部材の第６の構成例を示す図である。
【図１９Ｃ】光学部材の第６の構成例を示す図である。
【図２０】光ファイバと、光学部材とを接合した場合の図である。
【図２１】光学部材の他の構成例を示す図である。
【図２２】光学部材の他の構成例を示す図である。
【符号の説明】
【００７６】
１  光伝送装置、１０  光ファイバ、１１  光コネクタ、１２  光トランシーバ、１３，２１  基板、１４  コネクタ、２０  光学部材、３０Ａ，３０Ｂ，３０Ｃ，３０Ｄ  ＶＣＳＥＬ、３１Ａ，３１Ｂ，３１Ｃ，３１Ｄ  ＡＰＣ用のＰＤ、３２Ａ，３２Ｂ，３２Ｃ，３２Ｄ  ＲＸ用のＰＤ、３３  制御部、４０Ａ，４０Ｂ，４０Ｃ，４０Ｄ，４５Ａ，４５Ｂ，４５Ｃ，４５Ｄ，５０Ａ，５０Ｂ，５０Ｃ，５０Ｄ，６０Ａ，６０Ｂ，６０Ｃ，６０Ｄ，６２，６６，７０Ａ，７０Ｂ，７０Ｃ，７０Ｄ，７６Ａ，７６Ｂ，７６Ｃ，７６Ｄ，８０Ａ，８０Ｂ，８０Ｃ，８０Ｄ，８６Ａ，８６Ｂ，８６Ｃ，８６Ｄ，９０Ａ，９０Ｂ，９０Ｃ，９０Ｄ，９６Ａ，９６Ｂ，９６Ｃ，９６Ｄ  コリメートレンズ、４１Ａ，４１Ｂ，４１Ｃ，４１Ｄ，５１Ａ，５１Ｂ，５１Ｃ，５１Ｄ，６３，７１Ａ，７１Ｂ，７１Ｃ，７１Ｄ，８１Ａ，８１Ｂ，８１Ｃ，８１Ｄ，９１Ａ，９１Ｂ，９１Ｃ，９１Ｄ  出射部、４２，７２，９２  ハーフミラー、４３，５２，５４，５５，５７，６４，７３，７４，８２，８３，８４，９３  全反射ミラー、４４Ａ，４４Ｂ，４４Ｃ，４４Ｄ，４６Ａ，４６Ｂ，４６Ｃ，４６Ｄ，５９Ａ，５９Ｂ，５９Ｃ，５９Ｄ，６１Ａ，６１Ｂ，６１Ｃ，６１Ｄ，６５，６７，７５Ａ，７５Ｂ，７５Ｃ，７５Ｄ，７７Ａ，７７Ｂ，７７Ｃ，７７Ｄ，８５Ａ，８５Ｂ，８５Ｃ，８５Ｄ，８７Ａ，８７Ｂ，８７Ｃ，８７Ｄ，９４Ａ，９４Ｂ，９４Ｃ，９４Ｄ，９５Ａ，９５ｂ，９５Ｃ，９５Ｄ  集光レンズ、５３，５６，５８  切り込み部（Ｖ溝）
【図１】
2006344915.tif 000003
【図２】
2006344915.tif 000004
【図３】
2006344915.tif 000005
【図４Ａ】
2006344915.tif 000006
【図４Ｂ】
2006344915.tif 000007
【図５】
2006344915.tif 000008
【図６】
2006344915.tif 000009
【図７Ａ】
2006344915.tif 000010
【図７Ｂ】
2006344915.tif 000011
【図８】
2006344915.tif 000012
【図９Ａ】
2006344915.tif 000013
【図９Ｂ】
2006344915.tif 000014
【図１０Ａ】
2006344915.tif 000015
【図１０Ｂ】
2006344915.tif 000016
【図１１】
2006344915.tif 000017
【図１２】
2006344915.tif 000018
【図１３Ａ】
2006344915.tif 000019
【図１３Ｂ】
2006344915.tif 000020
【図１４】
2006344915.tif 000021
【図１５】
2006344915.tif 000022
【図１６Ａ】
2006344915.tif 000023
【図１６Ｂ】
2006344915.tif 000024
【図１７】
2006344915.tif 000025
【図１８】
2006344915.tif 000026
【図１９Ａ】
2006344915.tif 000027
【図１９Ｂ】
2006344915.tif 000028
【図１９Ｃ】
2006344915.tif 000029
【図２０】
2006344915.tif 000030
【図２１】
2006344915.tif 000031
【図２２】
2006344915.tif 000032